(57)【特許請求の範囲】
【請求項１】
前面を開口した筐体と、該開口部を被覆する扉部からなる電気機器収納用箱であって、
該扉部は、該筐体の前面開口部を被覆する前面カバー部と、上下左右の側面部からなり、
該扉部の左右の側面部の一方側には、該前面カバー部の端部より筐体方向に向けて略垂直に形成された垂直辺と、該垂直辺の先端から該前面カバー部に対し平行に形成された水切り辺を備え、
該扉部の上側面部の付近には、該前面カバー部より筐体方向に向けて垂直に形成された上立設辺を備え、
該筐体は、背面板と、上下左右の側面部からなり、
該筐体の左右の側面部の前記水切り辺に対応する位置には、扉部に向けて略垂直に形成された立設辺を備え、
該筐体の上側面部の、前記上立設辺に対応する位置には、該背面板に略平行に形成された上水切り辺を備え、
前記水切り辺と前記立設辺、および、前記上立設辺と前記上水切り辺とが、各々、垂直に当接して水切り構造をなすことを特徴とする電気機器収納用箱。
【請求項２】
該扉部の側面部と該筐体の側面部は、各々の一方側に該扉部と該筐体とを係止する係止機構を備え、他方側に該扉部と該筐体とを蝶番接続する蝶番機構を備えることを特徴とする請求項１記載の電気機器収納用箱。
【請求項３】
該扉部の上立設辺と該筐体の上水切り辺とが略垂直に当接してなす水切り構造は、左右端部に排水孔を備えることを特徴とする請求項１または２記載の電気機器収納用箱。
【請求項４】
該扉部の水切り辺にリブを備え、該リブは、該扉部と該筐体とが係止状態において、該筐体の左右立設辺よりも外側に位置することを特徴とする請求項３記載の電気機器収納用箱。
【請求項５】
該筐体の上側面部上に屋根部材が載置され、該扉部の上側面部は、該屋根部材を係止する屋根係止部を備え、該屋根部材は、前端部に、該屋根係止部と係止する係止爪を備え、後端部の下方に切欠部を備えることを特徴とする請求項１〜４の何れかに記載の電気機器収納用箱。
【発明の詳細な説明】
【技術分野】
【０００１】
本発明は、電気機器収納用箱に関するものである。
【背景技術】
【０００２】
配電盤や分電盤などの電気機器収納用箱は、一般に、前面開口部を有する筐体内を機器収納スペースとして、開閉自在な扉部で該前面開口面を被覆する構造を有し、更に、屋外での使用が想定される場合、雨水が筺体内に侵入することを防止するために、該前面開口部に水切り構造が設けられている。
【０００３】
電気機器収納用箱の水切り構造として、例えば特許文献１には、筐体の前面開口部の全周に断面略コ字状の水切り部を折り曲げ形成して、該水切り部に扉の裏面を当接させる構造が記載されている。しかし、当該構造では、扉の裏面空間を機器収納スペースの一部として利用することができず、扉の裏面空間に変えて筐体の奥行距離を深くとって、機器収納スペースを確保せざるを得ない事情があるが、奥行を深く確保するほど機器取り付け作業がし難い問題がある。また、当該構造では、排水経路が設けられていないため、扉の開閉操作時に、扉の裏面等に付着していた雨水が該水切り部に持ち込まれた場合、該雨水の排水を適切に行うことができず、筐体内に雨水が浸入する可能性があり防水対策として充分とはいえない問題があった。
【０００４】
排水経路を設けた水切り構造としては、例えば特許文献２に示すように、筐体１前面開口部の全周にＬ状の水切り部を折り曲げ形成するとともに、扉を正面部・中間段部・開口部からなる断面凸状に形成し、該扉の中間段部を、筐体のＬ状の水切り部と当接させる構造が記載されている。しかし、当該構造では扉の外観が複雑になる問題や、更に上部に屋根を設ける場合、屋根は開口部の上部に位置するため、屋根と正面部の上端部との間には大きな隙間空間が生じてしまい、美観を損なうという問題があった。
【先行技術文献】
【特許文献】
【０００５】
【特許文献１】特開２００４−３４５６６２号公報
【特許文献２】特許４６７２６２５号公報
【発明の概要】
【発明が解決しようとする課題】
【０００６】
本発明の目的は前記の問題を解決し、防水性・排水性に優れ、かつ、シンプルな外観で意匠性にも優れた電気機器収納用箱の水切り構造に関する技術を提供することである。
【課題を解決するための手段】
【０００７】
上記課題を解決するためになされた本発明の電気機器収納用箱は、前面を開口した筐体と、該開口部を被覆する扉部からなる電気機器収納用箱であって、
該扉部は、該筐体の前面開口部を被覆する前面カバー部と、上下左右の側面部からなり、
該扉部の左右の側面部の一方側には、該前面カバー部の端部より筐体方向に向けて略垂直に形成された垂直辺と、該垂直辺の先端から該前面カバー部に対し平行に形成された水切り辺を備え、
該扉部の上側面部の付近には、該前面カバー部より筐体方向に向けて垂直に形成された上立設辺を備え、
該筐体は、背面板と、上下左右の側面部からなり、
該筐体の左右の側面部の前記水切り辺に対応する位置には、扉部に向けて略垂直に形成された立設辺を備え、
該筐体の上側面部の、前記上立設辺に対応する位置には、該背面板に略平行に形成された上水切り辺を備え、
前記水切り辺と前記立設辺、および、前記上立設辺と前記上水切り辺とが、各々、垂直に当接して水切り構造をなすことを特徴とするものである。
【０００８】
請求項２記載の発明は、請求項１記載の電気機器収納用箱において、該扉部の側面部と該筐体の側面部は、各々の一方側に該扉部と該筐体とを係止する係止機構を備え、他方側に該扉部と該筐体とを蝶番接続する蝶番機構を備えることを特徴とするものである。
【０００９】
請求項３記載の発明は、請求項１または２記載の電気機器収納用箱において、該扉部の上立設辺と該筐体の上水切り辺とが略垂直に当接してなす水切り構造は、左右端部に排水孔を備えることを特徴とするものである。
【００１０】
請求項４記載の発明は、請求項３記載の電気機器収納用箱において、該扉部の水切り辺にリブを備え、該リブは、扉部と筐体とが係止状態において、該筐体の左右立設辺よりも外周側に位置することを特徴とするものである。
【００１１】
請求項５記載の発明は、請求項１〜４の何れかに記載の電気機器収納用箱において、該筐体の上側面部上に屋根部材が載置され、該扉部の上側面部は、該屋根部材を係止する屋根係止部を備え、該屋根部材は、前端部に、該屋根係止部と係止する係止爪を備え、後端部の下方に切欠部を備えることを特徴とするものである。
【発明の効果】
【００１２】
本発明に係る電気機器収納用箱は、前面を開口した筐体と、該開口部を被覆する扉部からなる電気機器収納用箱において、扉部の左右の側面部の一方側には、前面カバー部の端部より筐体方向に向けて略垂直に形成された垂直辺と、垂直辺の先端から前面カバー部に対し平行に形成された水切り辺を備え、扉部の上側面部の付近には、前面カバー部より筐体方向に向けて垂直に形成された上立設辺を備え、該筐体は、背面板と、上下左右の側面部からなり、該筐体の左右の側面部の水切り辺に対応する位置には、扉部に向けて略垂直に形成された立設辺を備え、筐体の上側面部の、上立設辺に対応する位置には、背面板に略平行に形成された上水切り辺を備え、水切り辺と立設辺、および、上立設辺と上水切り辺とが、各々、垂直に当接する構成からなり、扉の開閉操作時に、扉の裏面等に付着していた雨水が該水切り部に持ち込まれた場合であっても、該扉部の上立設辺と該筐体の上水切り辺とが略垂直に当接してなす水切り空間を介して雨水の排水を行うことができ、防水性・排水性に優れた構造となっている。
【００１３】
また、該扉部の上下の側面部には段差が設けられておらず、シンプルで意匠性に優れた外観を呈している。また、上部に屋根を設ける場合にも、屋根と正面部との間に大きな隙間空間が生じることはなく、美観を損なうことなく屋根を設けることができる。
【００１４】
筐体に取り付ける屋根は従来壁面に取り付ける前に形成されており、特に係止爪を中心に回動させて箱本体部や扉部に取り付ける場合には、筐体を壁面に取り付けてしまった後では、図１３に示すように、係止爪を形成した反対側の面の下方が壁面に当接してしまい、取り付けることが出来ないといった問題点があったが、請求項４記載の発明によれば、係止爪を形成した面と反対側の面の下方に切欠部を形成することにより、前記の問題を解消し、壁面設置後にも、屋根を自在に着脱可能とした。
【図面の簡単な説明】
【００１５】
【図１】本実施形態の電気機器収納用箱の全体斜視図である。
【図２】扉部の背面斜視図である。
【図３】扉部の背面図である。
【図４】筐体の前面斜視図である。
【図５】筐体の前面図である。
【図６】図１の水平断面図である。
【図７】（ａ）図１の上部垂直断面図である。（ｂ）異なる実施形態の断面図である。
【図８】電気機器収納用箱の上部水平断面斜視図である。
【図９】図８の上部垂直断面図である。
【図１０】屋根部材の全体斜視図である。
【図１１】屋根部材の裏面側斜視図である。
【図１２】屋根部材が外れた状態図である。
【図１３】従来の屋根部材の取付け時の説明図である。
【図１４】本実施形態の屋根部材の取付け時の説明図である。
【図１５】他の実施形態の扉部の背面斜視図である。
【図１６】他の実施形態の屋根部材を外した状態における電気機器収納用箱の上部斜視図である。
【発明を実施するための形態】
【００１６】
以下に本発明の好ましい実施形態を示す。
図１に示すように、本実施形態の電気機器収納用箱は、前面を開口した筐体１と扉部２と屋根部材３から構成されている。筐体１内部は電気機器収納スペースとして使用される。
【００１７】
図２に示すように、扉部２は、筐体１の前面開口部３８を被覆する前面カバー部４と、前面カバー部４の外周を筐体１方向に向けて略垂直に折り曲げ形成した側面部２００を有している。
【００１８】
図２、図３に示すように、扉部２の左右の側面部２００ｄは、前面カバー部４の外周を筐体方向に向けて略垂直に折り曲げ形成した垂直辺５と、垂直辺５を前面カバー部４に対し略水平に折り曲げ形成した水切り辺６が形成され、扉部２の上下の側面部２００ａの端部付近には、前面カバー部４の外周を筐体１方向に向けて略垂直に折り曲げ形成した立設辺７が形成されている。また、水切り辺６の端部より垂直辺５と反対側に折り曲げた垂下辺５０が形成されている。
【００１９】
上記のような形状となるため、扉部２は、図２のＡ−Ａ断面は略コ字状、Ｂ−Ｂ断面は内側が凸状、外側が略コ字状に形成されている。
【００２０】
扉部２の左右の側面部２００ｄの何れか一方の端部側には外側に向けて突出させた突出部９及び扉部２と筐体１とを係止する係止機構となる引掛部１３を備え、他方の端部側には扉部２と筐体１とを蝶番接続する蝶番機構となる蝶番８を備えられ、各々一体形成されている。
【００２１】
突出部９は、扉部２を開閉操作する取手部としての機能を有するとともに、シリンダ錠の取付け部１０と南京錠の取付け部１１としての機能を有する。このように、取手部を、シリンダ錠の取付け部１０と南京錠の取付け部１１として兼用することにより、取手部とシリンダ錠の取付け部１０および南京錠の取付け部１１とを別に設ける場合に比べて、部品点数を削減でき、電気機器収納用箱の外観もすっきりとさせることができる。
【００２２】
突出部９にシリンダ錠の取付け部１０を設けることにより、扉部２を閉じた状態において、シリンダ錠１２が、該筐体の開口より内側に形成された電気機器収納スペースの外側に配置されることとなる。したがって、シリンダ錠１２が筐体内部の電気機器収納スペースを圧迫することがないため、筐体１内部の電気機器収納スペースを有効に利用することができる。また、雨水が鍵の差し込み口に侵入した場合であっても、雨水が筐体１内部の電気機器収納スペースに侵入することがないため、特別の防水部材は不要であり、部品点数の削減や組み立て作業の簡略化を図ることができる。
【００２３】
突出部９の外周面と引掛部１３との間には、作業者の手を入れる空間部１４が形成されている。なお、引掛部１３は突出部９より扉部２の内側に向かって傾斜させており、引掛部１３の先端部１３ａ扉部２の外周より内側にするように形成されている。
【００２４】
筐体１は、図４、図５及び図１２に示すように、背面板１５と、背面板１５を扉部２方向に向けて略垂直に折り曲げ形成した側面部１００から形成されている。
【００２５】
筐体１の背面板１５の外周を扉部２に向けて略垂直に折り曲げ形成した上下の側面部１００ａには、背面板１５に対し略水平に折り曲げ形成した上下水切り辺１８が形成され、筐体１の背面板１５の外周を扉部２に向けて垂直に折り曲げ形成した左右の側面部１００ｄには、左右の側面部１００ｄの開口端部に扉部２に向けて形成した立設辺１９が形成されている。また、左右の側面部１００ｄには立設辺１９を形成した背面板と水平な水平辺６０、水平辺６０の端部より左右の立設辺１９の反対側に折り曲げた垂下辺７０を形成している。なお、背面板１５側の上下の側面部１００ａの中央部には三角形状の切欠いて形成した逃げ部２０が形成され、円柱状のものに取り付ける際には、逃げ部２０に係合された状態で固定される。
【００２６】
本発明では、図６、図７に示すように、扉部２の水切り辺６と筐体の立設辺１９、および、扉部の立設辺７と筐体の水切り辺１８とが、各々、略垂直に当接して水切り構造をなしている。当該水切り構造により、扉部２の開閉操作時に、扉部２の裏面等に付着していた雨水が水切り部に持ち込まれた場合であっても、筐体１の上水切り辺１８ａと扉部２の上立設辺７ａとが略垂直に当接してなす水切り空間を介して雨水の排水を行うことができる。なお、本実施形態では筐体１及び扉部２各々の上下の側面部、左右の側面部に形成した立設辺、水切り辺の構造を左右上下対称構造とし景観が良くなる。ただし、少なくとも扉部２の上立設辺７ａ、引掛部１３を形成した引掛部側水切り辺６ａと、筐体１は扉部２の上立設辺７ａに対応する上水切り部１８ａ、引掛部側水切り部６ａに対応する引掛部側立設部１９ａを形成していれば良い。
【００２７】
また、当該水切り構造では、筐体１の水切り辺１８に当接する立設辺７が扉部２の内側上方及び下方に形成するために、扉部２の上下の側面部２００ａには段差が設けられておらず、フラットな形状となっておりシンプルで意匠性に優れた外観を呈している。また、上部に屋根部材３を設ける場合にも、屋根部材３と扉部２の上側面部２００ｂとの間に大きな隙間空間が生じることはなく、美観を損なうことなく屋根部材３を設けることができる。  
【００２８】
本実施形態では、図８に示すように、筐体１と扉部２が係止されて扉部２の上立設辺７ａと筐体１の上水切り辺１８ａとが略垂直に当接し、上側部排水路２１が形成され、箱本体部の左右の排水孔となる左右排水路２１ａに流れ出る。ここで、扉部２の上立設辺７ａは筐体１の上水切り辺１８よりも左右方向に長く形成されている。そのため、上側部排水路２１に水（水滴）が侵入した場合には、左右方向に流れ左右排水路２１ａに流れ出て、扉部２及び筐体１の左右端部に形成された空間から奥行方向へと水を排出することができる。ここで、扉部２の水切り辺６及び筐体１の立設辺１９が当接し、扉部２の垂下辺５０及び筐体１の垂下辺７０が当接しているため左右端部に左右排水路２１ａの空間が形成されているものである。次いで、水は、扉部２の水切り辺６と筐体１の立設辺１９によって形成された左側部排水路もしくは右側部排水路に沿って筐体１下方方向に流れる。
【００２９】
図２、図３に示すように、電気機器収納用箱の扉部２には、外周より内側に突出される引掛部１３の先端部１３ａが設けられるため、仮に、扉部２の左右の側面部２００ｄの端部に形成される水切り辺６を立設辺として形成する場合、先端部１３ａに対応する部分のみ低く形成しなければならないなど同一高さの立設辺を連続して設けることが困難であり、当該部分において水路を断絶せざるを得ず、防水が不十分になる恐れがあるが、本発明では、扉部２の上下の側面部２００ａの端部側に立設辺７、引掛部１３が形成される左右の側面部２００ｂの端部側に水切り辺６を形成し、反対に筐体１の、扉部２の立設辺７に対応する位置に水切り辺１８、扉部２の水切り辺６に対応する位置に立設辺１９を形成し、各々、略垂直に当接して、左側部排水路および右側部排水路を形成することにより当該問題を回避可能としている。
【００３０】
筐体１は、その他、図４に示すように、上水切り辺１８ａを更に扉部２に向けて略垂直に折り曲げ形成した折曲辺２２と、上水切り辺１８ａの後方に形成したＬ字状の保持部２３を備えている。保持部２３は、扉部２を係止させた時、扉部２の変形及び扉下がりを防止させ、また、保持部２３の後方からの水の浸入を防止する役割を担うものである。なお、図７（ｂ）に示すように保持部２３は折曲辺２２より一体に形成するものであっても良い。
【００３１】
図９に示すように、保持部２３と上水切り辺１８ａとの間にも、空間部となる凹部２４が形成されている。筐体１方向から凹部２４に進入した水も左右方向に排水することができる。左右方向に流れた水は、上側部排水路から左右方向に流れた水と同じ経路で排出される。
【００３２】
折曲辺２２は、保持部２３方向から水が侵入して来た際、扉部２の上側面部２００ｂと上立設辺７及び筐体１の上水切り辺１８ａ、で囲まれた上側部排水路２１への排水路側まで流れる経路を長く確保することにより、排水路に侵入する量を減少させるものである。なお、保持部２３の形状は図７（ｂ）に示すような構造であっても良く、この形状においても上側部排水路２１までの経路を長く確保することにより、侵入する量を減少させるものである。折曲辺２２を形成することにより、侵入した水は上水切り辺１８に当接した後に、左右方向に排水されるようになる。
【００３３】
扉部２の左右の側面部２００ｄの何れか一方には図４に示すように、シリンダ錠の係止部２５・引掛け部の係止部２６・南京錠の係止部２７からなる受け部２８が、左右の側面部２００ｂから更に外周方向に向けて突出形成されている。受け部２８を左右の側面板２００ｄと一体形成することにより、シリンダ錠の受け金具が不要となり、部品点数の削減を図ることができる。
【００３４】
扉部２の左右の側面部２００ｄの他方には、蝶番８を備え、図３に示した扉部２の蝶番８との組み合わせにより、扉部２を筐体１に対し回動可能に支持している。
【００３５】
シリンダ錠の係止部２５・引掛け部の係止部２６・南京錠の係止部２７からなる受け部２８を、左右の側面部と一体に突出形成することにより、筐体１内部は専ら電気機器収納スペースとして有効に活用することができる。
【００３６】
図１に示すように、扉部２を閉じた状態において、受け部２８は扉部２の突出部９により覆われ、前上下左右方向からは見えないように形成されている。
【００３７】
筐体１の上側面部１００ｂ上には、図１に示すように、屋根部材３が載置されている。
【００３８】
屋根部材３は、図１０、図１１に示すように、天面部２９と枠部３０から構成されている。
【００３９】
枠部３０は、筐体１の背面板１５側に偏らせて配置されており、枠部３０の筐体１の前面開口部３８方向の側面には筐体１の前面開口部３８方向に向けて突出させた係止爪３１が形成されている。扉部２の上側面部は、図１２に示すように、該係止爪３１を係止する屋根係止部３２が形成されている。
【００４０】
枠部３０の背面板１５側には、天面部２９より下方に向けて突出した突出片３３が形成されている。筐体１の上側面部には、突出片３３を係止する孔部３４が形成されている。
【００４１】
図１４に示すように、枠部３０の背面板１５側の面の端部下方には切欠部３５を形成している。筐体１に取り付ける屋根部材３は従来壁面に取り付ける前に筐体１に取り付けされ、特に係止爪３１を中心に回動させて筐体１や扉部２に取り付ける場合には、筐体１を壁面に取り付けてしまった後では、図１３に示すように、係止爪３１を形成した反対側の面が壁面に当接してしまい、取り付けることが出来ないといった問題点があったが、係止爪３１を形成した面と反対側の面の端部下方に切欠部３５を形成することにより、前記の問題を解消し、壁面設置後にも、図１４に示すように、屋根部材３を自在に着脱することができる。なお、切欠部３５の形状は特に限定されないが、例えば、Ｒ状にしたり、角部を削る構造により面取りを行ったものが好ましい。
【００４２】
その他、図６、図１５に示すように、扉部２の左右水切り辺６にリブ３６を形成することが好ましい。リブ３６は、扉部２と筐体１とが係止状態において、筐体１の立設辺１９よりも外周側に位置する構造からなり、当該構造によれば、扉部２の水切り辺６及び筐体１の立設辺１９や扉部２の垂下辺５０及び筐体１の垂下辺７０がそれぞれ当接しており筐体１内部に水の浸入を防止するもので、万が一左右方向から水が浸入してきた場合でも、水がリブ３６に当接してそのまま下方に案内させ流れるようにするため、防水性能を高めることができる。更に、図１６に示すように筐体１及び扉部２の上部の上側部排水路２１に水が浸入した場合に左右の左右排水路２１ａに流れ出るものであるが、ここでリブ３６を形成しているため、このリブ３６の外側に水を案内させ流れるようにし、左右の立設辺１９よりも外側に水が流れるので防水性能を高めることができる。
【００４３】
また、図１６に示すように、扉部２の上立設辺７ａに複数の補強部３７を形成することが好ましい。当該構造によれば、扉部２の変形を防ぐことができる。
【符号の説明】
【００４４】
１  筐体
２  扉部
３  屋根部材
４  前面カバー部
５  垂直辺
６  水切り辺
６ａ  引掛部側の水切り辺
７  立設辺
７ａ  上立設辺
８  蝶番
９  突出部
１０  シリンダ錠の取付け部
１１  南京錠の取付け部
１２  シリンダ錠
１３  引掛部
１３ａ  先端部
１４  空間部
１５  背面板
１６  水切り部
１８  水切り辺
１８ａ  上水切り辺
１９  立設辺
１９ａ  引掛部側立設辺
２０  逃げ部
２１  上側部排水路
２２  折曲辺
２３  保持部
２４  凹部
２５  シリンダ錠の係止部
２６  引掛け部の係止部
２７  南京錠の係止部
２８  受け部
２９  天面部
３０  枠部
３１  係止爪
３２  屋根係止部
３３  突出片
３４  孔部
３５  切欠部
３６  リブ
３７  補強部
３８  前面開口部
５０  （扉部の）垂下辺
６０  水平辺
７０  （筐体の）垂下辺
１００  （筐体の）側面部
１００ａ  上下の側面部
１００ｂ  上側面部
１００ｄ  左右の側面部
２００  （扉部の）側面部
２００ａ  上下の側面部
２００ｂ  上側面部
２００ｄ  左右の側面部
【図１】
0005891520.tif 000002
【図２】
0005891520.tif 000003
【図３】
0005891520.tif 000004
【図４】
0005891520.tif 000005
【図５】
0005891520.tif 000006
【図１０】
0005891520.tif 000007
【図１１】
0005891520.tif 000008
【図１２】
0005891520.tif 000009
【図１４】
0005891520.tif 000010
【図１５】
0005891520.tif 000011
【図１６】
0005891520.tif 000012
【図６】
0005891520.tif 000013
【図７】
0005891520.tif 000014
【図８】
0005891520.tif 000015
【図９】
0005891520.tif 000016
【図１３】
0005891520.tif 000017